(57)【要約】【課題】２つの筐体が連結部により連結された携帯端末装置において、携行時に、不意に２つの筐体が互いに開くことを防止できるようにする。【解決手段】２つの筐体と、２つの筐体を互いに開閉可能とする連結部４とを備え、連結部４が各々の筐体に設けられた第１、第２の回転部２１，２２を備え、第１、第２の回転部２１，２２が、互いに軸線Ｌ１回りに回転可能に連結され、第１の回転部２１の第２の回転部２２に対向する表面に第１の穴２３が形成され、第２の回転部２２のうち、２つの筐体を互いに閉じた状態において第１の穴２３に対向する第２の穴２９が形成され、第１の穴２３内に、その軸線方向に移動可能な係止部材２５が設けられ、第１の穴２３と第２の穴２９とが対向している際に、係止部材２５を第１の穴２３から第２の穴２９内部に突出させた状態に保持可能な保持機構１０１が設けられていることを特徴とする携帯端末装置を提供する。【選択図】図３
2007252003.tif 000002
【特許請求の範囲】
【請求項１】
２つの筐体と、該２つの筐体を互いに開閉可能に連結する連結部とを備え、
該連結部が、前記２つの筐体のうち一方の筐体に備える第１の回転部と、他方の筐体に備える第２の回転部とを有し、
当該第１、第２の回転部が、互いに基準軸線回りに回転可能に連結されるとともに、
前記第１の回転部に、前記第２の回転部に対向する表面に開口する第１の穴が形成され、前記第２の回転部に、少なくとも前記２つの筐体を互いに閉じた状態及び／又は開いた状態において前記第１の穴に対向する第２の穴が形成され、
前記第１の穴内に、当該第１の穴の軸線方向に移動可能な係止部材を備えてなり、
前記第１の穴が第２の穴に対向していないときには、前記係止部材を第１の穴内に没入させ、前記第１の穴が第２の穴に対向しているときには、前記係止部材の先端部を第１の穴から第２の穴内部に突出させるように構成し、
前記第１の穴と前記第２の穴とが対向している際に、前記係止部材の少なくとも先端部が前記第２の穴内部に突出した状態で前記係止部材を保持する保持機構を有し、
前記２つの筐体が互いに閉じられた状態及び／又は開かれた状態にあることを検知する検知手段を備え、
該検知手段の信号に応じて前記保持機構を制御し、前記係止部材の先端部を前記第２の穴に突出させた状態に保持する制御部が設けられていることを特徴とする携帯端末装置。
【請求項２】
前記係止部材の先端部が、先細り状であることを特徴とする請求項１に記載の携帯端末装置。
【請求項３】
前記第１の穴が前記第２の穴と対向していないときには係止部材の先端部を前記第２の回転部に押圧させ、前記第１の穴が前記第２の穴と対向しているときには前記係止部材の先端部を前記第１の穴から前記第２の穴内部に突出させるように前記係止部材を支持する支持機構を具備することを特徴とする請求項１又は請求項２に記載の携帯端末装置。
【請求項４】
前記支持機構は、前記係止部材の後端部を支持する弾性体であることを特徴とする請求項３に記載の携帯端末装置。
【発明の詳細な説明】
【技術分野】
【０００１】
この発明は、２つの筐体が開閉自在、かつ回動可能に連結された携帯電話機や、ＰＤＡ（Ｐｅｒｓｏｎａｌ  Ｄｉｇｉｔａｌ  Ａｓｓｉｓｔａｎｔｓ）等の携帯端末装置に関する。
【背景技術】
【０００２】
従来、携帯端末装置は、携帯時に持ち運びやすくするため、２つの筐体を重ね合わせることができるようにしたものがある。特に近年、重ね合わせた状態でも情報を閲覧可能にしたものが提案されている。例えば特許文献１に示す携帯電話機は、２つの筐体を連結部により互いに回動可能、かつ開閉自在に連結してなり、閉じた状態において２つの筐体を重ね合わせることができ、開く際には一方の筐体に対して他方の筐体を連結部を中心にスライド回転させることができるようになっていた。
【特許文献１】特開平７−２８８８６０号公報
【発明の開示】
【発明が解決しようとする課題】
【０００３】
しかしながら、特許文献１に示す従来の携帯端末装置は、２つの筐体の閉じられる側の内面に垂直な方向の軸線回りに、２つの筐体が互いに回動可能に連結されているため、例えば、鞄やポケットに収容されているとき、筐体の側面方向から外力が加わると２つの筐体が互いに開く場合があり、この状態においてさらに外力が加えられると破損する虞があった。
【０００４】
この発明は、上述した事情に鑑みてなされたものであって、携行している際に、不意に２つの筐体が互いに開くことを防止できる携帯端末装置を提供することを目的としている。
【課題を解決するための手段】
【０００５】
上記課題を解決するために、この発明は以下の手段を提案している。
【０００６】
請求項１に係る発明は、２つの筐体と、該２つの筐体を互いに開閉可能に連結する連結部とを備え、該連結部が、前記２つの筐体のうち一方の筐体に備える第１の回転部と、他方の筐体に備える第２の回転部とを有し、当該第１、第２の回転部が、互いに基準軸線回りに回転可能に連結されるとともに、前記第１の回転部に、前記第２の回転部に対向する表面に開口する第１の穴が形成され、前記第２の回転部に、少なくとも前記２つの筐体を互いに閉じた状態及び／又は開いた状態において前記第１の穴に対向する第２の穴が形成され、前記第１の穴内に、当該第１の穴の軸線方向に移動可能な係止部材を備えてなり、前記第１の穴が第２の穴に対向していないときには、前記係止部材を第１の穴内に没入させ、前記第１の穴が第２の穴に対向しているときには、前記係止部材の先端部を第１の穴から第２の穴内部に突出させるように構成し、前記第１の穴と前記第２の穴とが対向している際に、前記係止部材の少なくとも先端部が前記第２の穴内部に突出した状態で前記係止部材を保持する保持機構を有し、前記２つの筐体が互いに閉じられた状態及び／又は開かれた状態にあることを検知する検知手段を備え、該検知手段の信号に応じて前記保持機構を制御し、前記係止部材の先端部を前記第２の穴に突出させた状態に保持する制御部が設けられていることを特徴とする。
【０００７】
この発明に係る携帯端末装置によれば、少なくとも２つの筐体を互いに閉じた際及び／又は開いた際には、係止部材の先端部を第１の穴から第２の穴に突出させるようにしたことから、第１、第２の回転部の相対的な回転を抑止できる。その為、筐体の側方より外力が作用したとしても２つの筐体の相対位置が簡単にズレることがない。
【０００８】
また、この発明に係る携帯端末装置によれば、保持機構により保持部材の少なくとも先端部を第１の穴から第２の穴に突出させた状態となるように係止部材を保持できるため、第１、第２の回転部の相対的な回転を完全に阻止できる。その結果、少なくとも２つの筐体を互いに閉じた状態及び／又は開いた状態を保つことができる。
【０００９】
また、この発明に係る携帯端末装置によれば、２つの筐体を互いに閉じた際及び／又は開いた際には、制御部が検知手段からの信号に基づいて、保持機構を制御して２つの筐体を互いに回動不能に固定させるため、２つの筐体が互いに開くことがない。
【００１０】
請求項２に係る発明は、請求項１に記載の携帯端末装置において、前記係止部材の先端部が、先細り状であることを特徴とする。
【００１１】
この発明に係る携帯端末装置によれば、第２の穴内に突出している係止部材を第１、第２の回転部の相対的な回動に伴ってスムーズに第１の穴内に没入させることができる。なお、本発明の係止部材の先端部を先細り状にするとは、第１の穴に挿入された状態において、少なくとも第２の回転部の回転方向における係止部材の幅が徐々に狭くなった形状に形成されていることをいう。
【００１２】
請求項３に係る発明は、請求項１又は請求項２に記載の携帯端末装置において、前記第１の穴が前記第２の穴と対向していないときには係止部材の先端部を前記第２の回転部に押圧させ、前記第１の穴が前記第２の穴と対向しているときには前記係止部材の先端部を前記第１の穴から前記第２の穴内部に突出させるように前記係止部材を支持する支持機構を具備することを特徴とする。
【００１３】
この発明に係る携帯端末装置によれば、少なくとも２つの筐体を互いに閉じた際及び／又は開いた際には、第１、第２の回転部の相対的な回転を抑止でき、また、所定値以上の力を加えて係止部材を第１の穴内に没入させることにより、第１、第２の回転部を相対的に回転させ、一方の筐体を他方の筐体に対して回動させることができる。
【００１４】
請求項４に係る発明は、請求項３に記載の携帯端末装置において、前記支持機構は、前記係止部材の後端部を支持する弾性体であることを特徴とする。
【００１５】
この発明に係る携帯端末装置によれば、係止部材の支持機構を簡単に構成することができ、また、部品点数の増大を抑えることができる。
【００１６】
また、前記保持機構が、前記係止部材の突出方向の後端に配置して前記係止部材の後退を阻止する保持位置と、該保持位置から離間して前記係止部材の後退を許容する退避位置との間において移動可能な保持部材と、該保持部材を移動させる駆動部とから構成されているとしても良い。
【００１７】
この発明に係る携帯端末装置によれば、駆動部によって保持部材を保持位置に移動させた際には、係止部材の少なくとも先端部が第２の穴から第１の穴の内部に後退できなくなるため、係止部材により第１、第２の回転部の相対的な回転が完全に阻止される。したがって、２つの筐体の相対的な位置関係を確実に保持できる。
【００１８】
また、この状態から駆動部によって保持部材を退避位置に移動させた際には、係止部材が第１の穴の内部に後退可能となるため、係止部材を第１の穴の内部に没入させることにより２つの筐体が互いに回動可能となる。
【００１９】
また、操作部と、該操作部の操作に基づいて前記保持機構の制御を行う制御部とを有するとしても良い。
【００２０】
この発明に係る携帯端末装置によれば、２つの筐体を互いに閉じた状態又は開いた状態において、携帯端末装置のユーザが操作部において所定の操作を行うと、制御部の指示に基づいて、保持機構が係止部材を第１の穴から第２の穴に突出させた状態に保持する。これにより、２つの筐体は、相対的な位置関係を保つことができ、閉じた状態又は開いた状態から動くことがない。
【００２１】
また、この状態において、ユーザが操作部において所定の操作を行うと、制御部の指示に基づいて、保持機構が係止部材を第１の穴の軸線方向に移動可能な状態とする。これにより、２つの筐体が互いに回動可能となり、２つの筐体を相対的に回動させることができる。
【発明の効果】
【００２２】
以上説明したように、請求項１に係る発明によれば、少なくとも２つの筐体を互いに閉じた際及び／又は開いた際には、係止部材の先端部を第１の穴から第２の穴に突出させるようにしたことから、第１、第２の回転部の相対的な回転を抑止できる。その為、筐体の側方より外力が作用したとしても閉じた状態及び／又は開いた状態における２つの筐体の位置が簡単にズレることがない。その結果、２つの筐体を所定の位置関係に保った状態にて維持でき、特に、閉じた状態にて鞄の中に携行している際に、２つの筐体が互いに開き、さらに加わる外力による携帯端末装置の破損を防止することができる。
【００２３】
また、請求項１に係る発明によれば、保持機構により保持部材の少なくとも先端部を第１の穴から第２の穴に突出させた状態となるように係止部材を保持できるため、第１、第２の回転部の相対的な回転を完全に阻止できる。その結果、携行時に、不意に２つの筐体が互いに開くことがなく、携帯端末装置の破損を確実に防止できる。
【００２４】
さらに、請求項１に係る発明によれば、２つの筐体を互いに閉じた際には、制御部の指示に基づいて保持機構が２つの筐体を互いに回動不能な状態に固定する構成であるため、携行時において、不意に２つの筐体が開くことが無く、携帯端末装置の破損をさらに確実に防止できる。
【００２５】
請求項２に係る発明によれば、第２の穴内に突出している係止部材を第１、第２の回転部の相対的な回動に伴いスムーズに第１の穴内に没入させることができる。
【００２６】
請求項３に係る発明によれば、少なくとも２つの筐体を互いに閉じた際及び／又は開いた際には、第１、第２の回転部の相対的な回転を抑止できると共に、２つの筐体を互いに開く動作を開始したり、閉じる動作を開始する際に所定値以上の力を加えることにより、第２の穴内に突出する係止部材の先端部を第１の穴内に没入させて第１、第２の回転部を相対的に回転させることができるため、閉じた状態及び／又は開いた状態から２つの筐体を回動させることができ、且つクリック感を得ることができる。
【００２７】
請求項４に係る発明によれば、係止部材の支持機構を簡単に構成することができ、また、部品点数の増大を抑えることができる。
【００２８】
また、係止部材が保持部材により第１、第２の回転部の相対的な回転を抑止する位置に保持される構成とすれば、確実に２つの筐体を互いに回動不能に固定できる。
【００２９】
また、駆動部が保持部材を保持位置と退避位置との間で移動させるため、２つの筐体が互いに回動不能に固定された状態と、互いに回動可能な状態とに切り換えることができる。
【００３０】
また、携帯端末装置のユーザの操作により保持機構が制御されるとすれば、２つの筐体が互いに回動可能な状態と、２つの筐体が互いに回動しない状態とに容易に切り換えることができる。
【発明を実施するための最良の形態】
【００３１】
図１から図７は本発明に係る一実施形態を示しており、ここで説明する実施の形態は、この発明を携帯電話機に適用した場合のものである。この実施の形態に係る携帯電話機（携帯端末装置）１は、図１，２に示すように、第１の筐体２、第２の筐体３、及びこれら２つの筐体２，３を重ね合わせたときに互いに対向する面に垂直な軸線（基準軸線）Ｌ１回りに回動可能、かつ開閉可能に連結する連結部４とを備えている。
【００３２】
第１の筐体２の内面２ａには、通話キー、終話キー等の各種の押圧可能な操作キーからなる第１の操作部７が設けられており、その先端部２ｂにはマイクロフォン９が設けられている。また、第１の筐体２の側面２ｃには、複数の押圧可能な操作キーからなる第２の操作部１１が設けられており、この第２の操作部１１は、２つの筐体２，３の開閉状態にかかわらず外方に露出している。
【００３３】
第２の筐体３のうち、第１の筐体２の内面２ａと同方向に向く表面３ａには、表示部１３が設けられており、表示部１３は、第１、第２の筐体２，３の開閉状態にかかわらず、外方に露出している。また、表面３ａのうち、第２の筐体３の先端部３ｂにはスピーカー１５が設けられている。
【００３４】
連結部４は、図３，４に示すように、第１の筐体２に設けられた第１の回転部２１と、第２の筐体３に設けられた第２の回転部２２とを備えている。これら第１、第２の回転部２１，２２は、略円柱状に形成されており、互いに軸線Ｌ１回りに回転可能に連結されている。
【００３５】
第１の回転部２１には、軸線Ｌ１方向に貫通する貫通孔（第１の穴）２３が形成されており、この貫通孔２３には、この貫通孔２３の軸線方向のみに移動可能な係止部材２５が設けられている。この係止部材２５のうち、第２の回転部２２側の先端部２５ａは、幅が徐々に狭くなるように凸面状に形成されており、好ましくは先端部２５ａを曲面に形成する方が良い。
【００３６】
この係止部材２５は、スプリング（支持機構）２７により第２の回転部２２に向かう方向に付勢されている。このスプリング２７は、その一端部が係止部材２５に固定され、その他端部が第１の筐体２に固定されている。
【００３７】
第２の回転部２２のうち、第１の回転部２１に対向する表面２２ｂには、一対の穴（第２の穴）２９，２９が形成されており、これら穴２９，２９は、２つの筐体２，３を互いに閉じた状態、及び互いに開いた状態において、第１の回転部２１の貫通孔２３にそれぞれ対向して位置する。
【００３８】
２つの筐体２，３を互いに閉じた状態、もしくは互いに開いた状態においては、図３に示すように、係止部材２５の先端部２５ａがスプリング２７に付勢されて貫通孔２３から第２の回転部２２側に突出して支持されるように設定してある。この状態において、第１、第２の回転部２１，２２を軸線Ｌ１回りに相対的に回転させる力が、スプリング２７の付勢力よりも小さい場合には、第１、第２の回転部２１，２２が相互に回転しない。したがって、２つの筐体２，３を互いに閉じた状態、及び互いに開いた状態においては、スプリング２７の付勢力により２つの筐体２，３の相互移動が規制されている。
【００３９】
この状態において、スプリング２７の付勢力を上回る力により、第１、第２の回転部を相互に回転させた場合には、曲面状に形成された係止部材２５の先端部２５ａが第２の回転部２２の表面２２ｂにより押圧され、先端部２５ａが幅狭となっていることから、図４に示すように、係止部材２５をスムーズに貫通孔２３の内部に没入させることができる。この状態においては、第１、第２の回転部２１，２２を相互に自由に回転させることができる。
【００４０】
また、第１の筐体２には、係止部材２５の少なくとも先端部２５ａを穴２９の内部に突出させた状態に保持する保持部材３１が設けられている。
【００４１】
すなわち、図３に示すように、係止部材２５が穴２９に係合している状態においては、第１の筐体２と係止部材２５の後端との間に隙間３３が存在している。保持部材３１は、この隙間３３に入り込む保持位置と、隙間３３から離間した退避位置との間で移動可能となっている。この保持部材３１は、保持位置に配されている状態において、図５に示すように、第１の筐体２と係止部材２５との間に挟み込ませるようになっている。この状態においては、係止部材２５が貫通孔２３の内部に没入させることができない。
【００４２】
また、保持部材３１は、楔状に形成されており、保持位置に移動する際に、係止部材２５を穴２９の内部にさらに進出させるようになっている。したがって、この状態においては、第１、第２の回転部２１，２２を軸線Ｌ１回りに相対的に回転させる力の大きさにかかわらず、第１、第２の回転部２１，２２が相互に回転しない。すなわち、第１、第２の筐体２，３が互いに回動不能に固定された状態（以下、ロック状態と呼ぶ。）となる。
【００４３】
この保持部材３１の移動は、電磁石の原理により行われる。すなわち、保持部材３１は磁石からなり、この保持部材３１に隣接して電磁石（駆動部）３５が配されている。そして、この電磁石３５に電力を供給することにより、保持部材３１が電磁石３５から引き離されて隙間３３に入り込む、もしくは、電磁石３５に引き寄せられて隙間３３から離間する。なお、この電磁石３５の極性は、後述する制御部の指示に基づいて決定される。
【００４４】
これら保持部材３１及び電磁石３５により、係止部材２５を穴２９の内部に突出させた状態に保持できる保持機構１０１が構成されている。
【００４５】
この携帯電話機１の内部には、図６に示すように、２つの筐体２，３の開閉状態を検出する検出手段３７と、各種情報が記憶されたメモリ部３９と、第２の操作部１１の操作、検出手段３７からの信号、メモリ部３９の各種情報に基づいて保持機構１０１を制御する制御部４１とが設けられている。
【００４６】
したがって、例えば、２つの筐体２，３を互いに閉じた状態において、第２の操作部１１の操作キーを所定時間継続して押圧した場合には、制御部４１の指示に基づいて保持機構１０１の電磁石３５に電力が供給され、保持部材３１が保持位置に移動してロック状態となる。
【００４７】
また、例えば、２つの筐体２，３を互いに閉じて所定時間放置した場合には、制御部４１が検出手段３７からの信号に基づいて経過時間を測定すると共に、この経過時間とメモリ部３９に記憶された規定時間とを比較する。そして、経過時間が規定時間に到達した際には、前述と同様に、制御部４１の指示に基づいて電磁石３５に電力が供給され、保持部材３１が保持位置に移動してロック状態となる。
【００４８】
ここで規定時間とは、２つの筐体２，３を互いに閉じてからロック状態とするまでの時間であり、携帯端末装置１のユーザが任意に設定できる。したがって、例えば、２つの筐体２，３を互いに閉じると同時にロック状態となるように設定してもよい。
【００４９】
上記のロック状態においては、第１の操作部７が第２の筐体３により覆い隠されるために操作不能となる他、メモリ部３９に記憶された各種情報の出力する操作もできず、また、通話機能など携帯電話機１に設けられた各種機能が全て使用不能となる。すなわち、例えば、通話の着信信号やメールを受信しても、ロック状態が解除されない限り、通話を行ったり、メール内容を確認することもできない。
【００５０】
この状態においては、図７に示すように、ロック状態であることを知らせるアイコン４５が表示部１３に表示される。
【００５１】
このロック状態を解除するためには、第２の操作部１１において、携帯電話機１の使用を許可するためのパスワードを入力して、メモリ部３９に記憶されたパスワードと照合する必要がある。
【００５２】
すなわち、ロック状態において、第２の操作部１１のいずれかの操作キーが押圧されると、表示部１３には、パスワード入力画面が表示される。このパスワード入力画面には、１〜０の数字ボタン４６や決定ボタン４７等が表示されており、これらは、第２の操作部１１により選択できるようになっている。
【００５３】
ここで、第２の操作部１１の操作キーにより数字ボタン４６や決定ボタン４７を選択してパスワードを入力すると、制御部４１が入力したパスワードとメモリ部３９に記憶されているパスワードとを照合する。この照合結果が一致している場合には、制御部４１の指示に基づいて電磁石３５に電力が供給され、上述したロック状態が解除される。なお、双方のパスワードが一致しない場合には、ロック状態が継続して保持される。
【００５４】
ロック状態が解除された場合には、表示部１３からアイコン４５の表示が消え、２つの筐体２，３が互いに回動可能となる。また、メモリ部３９に記憶された各種情報を表示部１３に表示させたり、通話機能など携帯電話機１の各種機能を使用できる状態となる。
【００５５】
以上のように構成された携帯電話機１の使用方法について説明する。
【００５６】
この携帯電話機１を携行する際には、図２に示すように、２つの筐体２，３が互いに閉じられた状態となっており、２つの筐体２，３が相互に回動不能なロック状態となっている。なお、このロック状態においては、通話機能など携帯電話機１の各種機能が使用できない。
【００５７】
したがって、この状態から携帯電話機１を使用する際には、ロック状態を解除する。
【００５８】
すなわち、第２の操作部１１の操作キーを押圧して表示部１３にパスワード入力画面を表示させる。次いで、表示部１３を視認しながら、第２の操作部１１においてパスワードを入力する。入力したパスワードが、メモリ部３９に記憶されたパスワードと一致している場合には、ロック状態が解除され、２つの筐体２，３が相互に回動可能となると共に、携帯電話機１の各種機能を使用したり、メモリ部３９に記憶された各種情報を表示部１３に表示させることができる。
【００５９】
なお、ロックを解除した状態において、第２の筐体３を第１の筐体２に対して回動させるような外力が加わったとしても、その外力がスプリング２７の付勢力よりも小さい場合には、係止部材２５の先端部２５ａが穴２９内に突出した状態に維持されるため、２つの筐体２，３の相対的な回動を防止して閉じた状態を維持できる。
【００６０】
次に、この閉じた状態から、例えば通話を行うには、スプリング２７の付勢力よりも大きな力を加えて第２の筐体３を第１の筐体２に対して軸線Ｌ１を中心に回動させる。この際には、係止部材２５の先端部２５ａが幅狭となる曲面状に形成されていることから、第２の回転部２２の表面２２ｂが係止部材２５を押し下げて先端部２５ａを貫通孔２３内に没入させるため、第１の筐体２に対して第２の筐体３を軸線Ｌ１回りに１８０°相対的に回動させて２つの筐体２，３を互いに開いた状態とし、第１の操作部７を操作してマイクロフォン９およびスピーカー１５を通じて通話を開始する。
【００６１】
また、携帯電話機１の使用を終えた場合には、第１の筐体２に対して第２の筐体３を閉じて携帯電話機１を鞄やポケットに収容する。この際には、第２の操作部１１の操作キーを所定時間継続して押圧する、もしくは、所定時間放置することによりロック状態となる。
【００６２】
上記のように、この携帯電話機１によれば、２つの筐体２，３を互いに閉じた状態において、携帯電話機１のユーザが第２の操作部１１の操作キーを押圧することにより、ロック状態とすることができる。このため、携帯電話機１を鞄やポケットに収容して携行している状態において、２つの筐体２，３が不意に開くことを容易に防止でき、携帯電話機１の破損を容易に防止できる。
【００６３】
また、携帯電話機１のユーザが上述の操作を行わなくても、２つの筐体２，３を互いに閉じた状態で所定時間の間放置することにより、ロック状態とすることができる。すなわち、２つの筐体２，３を互いに閉じる動作に応じてロック状態とすることができるため、携帯電話機１を携行する際に、携帯電話機１の破損を確実に防止できる。
【００６４】
さらに、保持部材３１が保持位置に配されることにより、係止部材２５が２つの回転部２１，２２の相対的な回転を抑止する位置に保持されるため、このロック状態を確実に実現することができる。
【００６５】
また、電磁石３５により保持部材を保持位置と退避位置に移動させることにより、ロック状態と、このロックを解除した状態とに容易に切り換えることができる。
【００６６】
また、ロック状態においては、第１の操作部７が操作不能となる他、メモリ部３９に記憶された各種情報の出力されず、携帯電話機１に設けられた各種機能が全て使用不能となる。さらに、このロック状態はパスワードの照合結果に応じて解除されるため、携帯電話機１を他人に勝手に使用されることを確実に防止し、プライバシーの保護を図ることができる。
【００６７】
さらに、スプリング２７が、係止部材２５を第１の回転部２１の貫通孔２３から第２の回転部２２側に突出させるように構成されているため、ロック状態が解除されている状態において２つの筐体２，３を互いに開閉する際に、係止部材２５の没入／突出によるクリック感を得ることができる。
【００６８】
なお、上記の実施の形態においては、ロック状態は、パスワード入力のみにより解除されるとしたが、これに限ることはなく、例えば、第２の操作部１１の操作キーを所定時間押圧することにより解除されるとしてもよい。この場合には、通話の着信やメールの受信があった際に、ロック状態を素早く解除できる。また、例えば、通話の着信信号やメールの受信信号に基づいて、ロック状態が解除されるとしてもよい。
【００６９】
さらに、２つの筐体２，３を互いに閉じている状態においてのみ、ロック状態にできるとしたが、これに限ることはなく、例えば、図１に示すように、２つの筐体２，３を互いに開いている状態においてロック状態にできるとしてもよい。この場合には、携帯電話機１を使用している際に、２つの筐体２，３が互いに開いた状態に確実に保持されるため、第１の筐体２に対して第２の筐体３が回動することがなく、携帯電話機１の操作性の向上を図ることができる。
【００７０】
また、この場合には、ロック状態の設定及び解除は、第２の操作部１１に限らず、第１の操作部７において行ってもよい。
【００７１】
さらに、パスワード等の情報の入力は第１、第２の操作部７，１１において行うとしたが、これに限ることはなく、例えば、表示部１３を所謂タッチパネルとし、表示部１３の所定位置を触れることで情報を入力できるとしてもよい。この場合には、第２の操作部１１を設ける必要が無くなると共に、情報の入力が容易となる。
【００７２】
また、ロック状態においては、通話機能など携帯電話機１の各種機能が全て使用不能となるとしたが、これに限ることはなく、携帯電話機１の一部もしくは全ての機能が使用可能としてもよい。
【００７３】
また、２つの回転部２１，２２は、軸線Ｌ１方向に重ね合わせた構成としたが、これに限ることはなく、２つの回転部２１，２２が互いに軸線Ｌ１回りに回転可能に連結されていればよい。したがって、例えば、図８に示すように、円柱状に形成された第２の回転部２２を円筒状に形成された第１の回転部２１に挿入する構成であってもよい。この構成においては、貫通孔２３は、軸線Ｌ１に直交する方向に形成され、係止部材２５は、軸線Ｌ１に直交する方向にのみ移動可能となっている。
【００７４】
また、保持部材３１は、隙間３３に入り込む際に、係止部材２５を穴２９の内部にさらに進出させるとしたが、これに限ることはなく、係止部材２５を少なくとも穴２９の内部に突出した状態に保持させればよい。
【００７５】
また、保持部材３１は、磁力により移動するとしたが、これに限ることはなく、制御部４１の指示に基づいて移動されるものであればよい。したがって、例えば、保持部材３１をモータの駆動力により移動させるとしてもよい。
【００７６】
また、保持部材３１を使用してロック状態を実現するとしたが、これに限ることはなく、２つの筐体２，３が係止部材２５により相互に移動不能とすることができる構成であればよい。すなわち、例えば、係止部材２５を磁石により形成し、この係止部材２５を電磁石３５により貫通孔２３内部と穴２９内部との間において移動させるとしてもよい。
【００７７】
さらに、係止部材２５は、スプリング２７により第２の回転部２２側に突出させる方向に付勢されるとしたが、これに限ることはなく、少なくとも係止部材２５を第２の回転部２２側に突出させるように支持する支持機構であればよい。ただし、スプリング２７等の弾性体を使用した場合には、係止部材２５の支持機構を簡単に構成でき、また、支持機構の部品点数を少なくすることができるため、スプリング２７等の弾性体を使用することが好ましい。
【００７８】
また、携帯電話機１に限ることはなく、例えば、２つの筐体が第１の筐体２の内面に平行な軸線回りに回動する、所謂折り畳み型携帯電話機であってもよい。この場合には、第２の筐体３に設けられた表示部１３は、第１の筐体２により覆い隠される側の内面に設けられるとしてもよい。ただし、この場合には、パスワードの入力を表示部１３において確認できないため、例えば、常に外方に露出する位置に別途表示部を設けるとしてもよく、また、ロック状態の解除を第２の操作部１１の単純な操作に限定するとしてもよい。
【００７９】
さらに、携帯電話機１に限ることはなく、ＰＤＡやノートパソコンのように、２つの筐体を連結部により互いに回動可能、かつ開閉自在に連結した携帯端末装置であればよい。
【００８０】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００８１】
【図１】この発明の一実施形態に係る携帯電話機の第１、第２の筐体を相互に開いた状態を示す斜視図である。
【図２】図１の携帯電話機において、第１の筐体と第２の筐体とを相互に閉じた状態を示す斜視図である。
【図３】図１の携帯電話機において、連結部に設けられた係止部材が第１の回転部から突出して第２の回転部に係合している状態を示す概略斜視図である。
【図４】図１の携帯電話機において、連結部に設けられた係止部材が第２の回転部により押圧されて、第１の回転部に没入している状態を示す概略斜視図である。
【図５】図１の携帯電話機において、保持機構の保持部材が係止部材を貫通孔から穴に突出させて保持している状態を示す概略斜視図である。
【図６】図１の携帯電話機において、保持機構の制御を示すブロック図である。
【図７】図１の携帯電話機において、ユーザの操作によりロック状態を解除する場合に、表示部の表示画面の遷移を示す説明図である。
【図８】この発明の他の実施形態に係る携帯電話機において、連結部を構成する第１、第２の回転部を示す概略断面図である。
【符号の説明】
【００８２】
１  携帯電話機（携帯端末装置）
２  第１の筐体
３  第２の筐体
４  連結部
７  第１の操作部
１１  第２の操作部
２１  第１の回転部
２２  第２の回転部
２３  貫通孔（第１の穴）
２５  係止部材
２５ａ  先端部
２７  スプリング（支持機構）
２９  穴（第２の穴）
３１  保持部材
３５  電磁石（駆動部）
３７  検知手段
４１  制御部
１０１  保持機構
【図１】
2007252003.tif 000003
【図２】
2007252003.tif 000004
【図３】
2007252003.tif 000005
【図４】
2007252003.tif 000006
【図５】
2007252003.tif 000007
【図６】
2007252003.tif 000008
【図７】
2007252003.tif 000009
【図８】
2007252003.tif 000010